(57)【要約】【課題】退職高齢者等が手帳と共に身分証明書を収納して携帯できるように予め身分証明書の見本又は用紙を付属させた手帳を提供すること。【解決手段】手帳本体１と、該手帳本体の表裏の表紙部が挿入される袋状の表紙挿入部３，４を有する透明又は半透明のカバー２と、該表紙挿入部の何れか一方の内カバー部３ａ内に挿入保持せしめた身分証明書の見本又は用紙５と、からなり、該見本又は用紙に所定の証明事項を記入することにより手帳と共に身分証明書を常時携帯できるようにした。【選択図】図１
0003112128.tif 000002
【実用新案登録請求の範囲】
【請求項１】
手帳本体と、該手帳本体の表裏の表紙部が挿入される袋状の表紙挿入部を有する透明又は半透明のカバーと、該表紙挿入部の何れか一方の内カバー部内に挿入保持せしめた身分証明書の見本又は用紙と、からなり、該見本又は用紙に所定の証明事項を記入することにより手帳と共に身分証明書を常時携帯できるようにしたことを特徴とする手帳。
【請求項２】
手帳本体は自由記入欄が多い老齢者用のものであることを特徴とする請求項１に記載の手帳。
【請求項３】
身分証明書の見本又は用紙は写真貼付欄を有するものであることを特徴とする請求項１又は２に記載の手帳。
【考案の詳細な説明】
【技術分野】
【０００１】
本考案は、身分証明書を常時携帯できるようにした手帳に係り、特に退職高齢者等が使用するのに最適な手帳に関するものである。
【背景技術】
【０００２】
長寿国のわが国では、定年退職者等、特に老齢者のその後の生活環境等を考慮する施策の必要性が問題となっているが、例えば、各種の商品についてみても、従来は、いわゆる現役者が使用することを中心に考慮されている。
【０００３】
例えば、手帳についてみても従来のものは、現役者用に毎日のスケジュールを記入できるようになっていたり、活字も小さいものが殆どであるが、毎日のスケジュールを有しない退職高齢者等にとっては、むしろ自由記入欄が多い手帳が望まれる。
【０００４】
一方、退職高齢者はそれまで勤務先で交付されていた身分証明書がなくなるため身分を証明する手段がなく、例えば、居住地域での社会活動等をする場合においても頗る不便であった。また、このような場合のために健康保険証その他の公的証明書類を常時携帯することは紛失のおそれがあることもあって、現実的ではない。
【０００５】
退職高齢者等がボランティア活動や特定の地域社会活動等で関わりをもつ団体（以下、「所属団体」という。）は、仮に法人格を有しないとしても、該所属団体の代表者は身分証明書の用紙や見本があれば所属団体に属するメンバーの身分を証明する証明書を発行することは可能である。
【０００６】
従来より、手帳に被せる透明カバーの内側カバー体に各種のカードを挿入し得るようなカード収納部を形成したものがあり、該カード収納部の挿入口の角度を種々工夫したものも提案されている。
【０００７】
しかし、退職高齢者等においては各種のカードを携帯する必要性よりも簡易な身分証明書の携帯の必要性を痛感するものである。
【特許文献１】第３０４９３５８号登録実用新案公報
【考案の開示】
【考案が解決しようとする課題】
【０００８】
解決しようとする課題は、退職高齢者等が手帳と共に身分証明書を収納して携帯できるように予め身分証明書の見本又は用紙を付属させた手帳を提供することである。
【課題を解決するための手段】
【０００９】
本考案は、手帳本体と、該手帳本体の表裏の表紙部が挿入される袋状の表紙挿入部を有する透明又は半透明のカバーと、該表紙挿入部の何れか一方の内カバー部内に挿入保持せしめた身分証明書の見本又は用紙と、からなり、該見本又は用紙に所定の証明事項を記入することにより手帳と共に身分証明書を常時携帯できるようにしたことを特徴とする。
【００１０】
手帳本体は自由記入欄が多い老齢者用のものであることが望ましく、また、身分証明書の見本又は用紙には写真貼付欄が設けられていることが望ましい。
【考案の効果】
【００１１】
本考案の手帳によれば、手帳本体を被覆しているカバーの内カバー部内に挿入保持されている身分証明書の見本又は用紙を取り出し、所属団体等に署名押印をしてもらうことにより、簡易に身分証明書の発行を受けることができる。
【００１２】
この身分証明書を前記手帳の内カバー部内に収納することにより、手帳と共に身分証明書を常時携帯することが可能となる。
【００１３】
手帳本体を自由記入欄の多い手帳にすれば、高齢者や老齢者用の手帳として頗る便利である。また、身分証明書の見本又は用紙が写真貼付欄を設けたものであれば、写真によって容易に本人であることを確認することができる。
【考案を実施するための最良の形態】
【００１４】
手帳本体は、暦部分と、手帳紛失時又は所持者の緊急時のための個人情報メモ欄とを備え、白紙又は罫線入りの自由記入欄を多くしたものとする。手帳本体を覆うカバーは透明な厚手の樹脂フィルム製のものとし、手帳本体の表裏の表紙部が挿入される袋状の表紙挿入部が形成され、該表紙挿入部の何れか一方、一般的には表表紙が挿入される表紙挿入部の内カバー部内に身分証明書の見本又は用紙を挿入保持せしめておく。この場合、前記内カバーに袋状の身分証明書収納部を形成しておくこともできる。
【００１５】
前記身分証明書の見本又は用紙を取り出して所属団体名で証明してもらい、この身分証明書を前記内カバー部内に挿入保持せしめることにより、手帳と共に簡易な身分証明書を常時携帯することができる。
【実施例１】
【００１６】
図１は、本考案の手帳の一実施例を示す斜視図であって、手帳１０は、手帳本体１と、該手帳本体１の表裏の表紙部１ａ，１ｂが挿入される袋状の表紙挿入部３，４を有する透明又は半透明のカバー２と、該表紙挿入部３，４の何れか一方の、実施例では表表紙の表紙挿入部３の内カバー部３ａ内に挿入保持せしめた身分証明書の見本又は用紙５と、からなり、該見本又は用紙５に所定の証明事項を記入することにより手帳と共に身分証明書を常時携帯できるようにしたものである。
【００１７】
前記手帳本体１は、暦掲載欄（図示しない）と手帳紛失時や緊急時の手帳所持者の個人情報記入欄６，７（図４）程度のものは備えている他は、白紙又は罫線による自由記入欄（図示しない）が多いものとする。
【００１８】
前記カバー２は、従来より一般に見られるような厚手の透明樹脂フィルム製のものであるが、実施例では表表紙１ａが挿入される内カバー部３ａの幅を広く形成してあり、該内カバー部３ａ内に身分証明書の見本又は用紙５を挿入保持させてある。挿入保持させるには、内カバー部３ａの端縁３ｃから挿入してもよいが、この内カバー部３ａに袋部を形成して挿入口３ｄから収納するようにしてもよい。
【００１９】
身分証明書の見本又は用紙５は、図２のように、表側には所定の証明事項５ａや発行団体名５ｂ等が印刷されると共に右上に写真貼付欄５ｃが設けられており、図３のように、裏面側には注意書き等５ｄが印刷されている。
【００２０】
身分証明書の発行者が独自にこのような身分証明書を用意している場合は別として、前記見本又は用紙５を使用して証明書を発行してもらうことができる。また、手帳１０は一般に年毎に購入されるものであるが、身分証明書は差し替えてそのまま使用することができる。
【図面の簡単な説明】
【００２１】
【図１】手帳を開いた状態の斜視図である。
【図２】身分証明書の見本又は用紙の表面図である。
【図３】身分証明書の見本又は用紙の裏面図である。
【図４】手帳に設けられている個人情報記入欄を示す平面図である。
【符号の説明】
【００２２】
１    手帳本体
２    カバー
３    表紙挿入部
４    表紙挿入部
５    身分証明書の見本又は用紙
６    個人情報記入欄
７    個人情報記入欄
【図１】
0003112128.tif 000003
【図２】
0003112128.tif 000004
【図３】
0003112128.tif 000005
【図４】
0003112128.tif 000006
【手続補正書】
【提出日】平成17年4月21日(2005.4.21)
【手続補正１】
【補正対象書類名】実用新案登録請求の範囲
【補正対象項目名】請求項１
【補正方法】変更
【補正の内容】
【請求項１】
表表紙部と裏表紙部との間に多数の記帳紙片が継綴された手帳本体と、前記表裏の表紙部の外側面を覆うと共にその両端縁部から折り返して内カバー部を形成することにより前記表裏の表紙部を挿入するための袋状の表紙挿入部が設けられている透明又は半透明のカバーと、該表紙挿入部の何れか一方の内カバー部内に挿入保持せしめた身分証明書の見本又は用紙との組み合わせからなり、該見本又は用紙に所定の証明事項を記入することにより手帳本体と共に身分証明書を常時携帯できるようにしたことを特徴とする手帳。
【手続補正２】
【補正対象書類名】明細書
【補正対象項目名】０００９
【補正方法】変更
【補正の内容】
【０００９】
本考案の手帳は、表表紙部と裏表紙部との間に多数の記帳紙片が継綴された手帳本体と、前記表裏の表紙部の外側面を覆うと共にその両端縁部から折り返して内カバー部を形成することにより前記表裏の表紙部を挿入するための袋状の表紙挿入部が設けられている透明又は半透明のカバーと、該表紙挿入部の何れか一方の内カバー部内に挿入保持せしめた身分証明書の見本又は用紙との組み合わせからなり、該見本又は用紙に所定の証明事項を記入することにより手帳本体と共に身分証明書を常時携帯できるようにしたことを特徴とする。
【手続補正３】
【補正対象書類名】明細書
【補正対象項目名】００１２
【補正方法】変更
【補正の内容】
【００１２】
この身分証明書を前記カバーの内カバー部内に収納することにより、手帳本体と共に身分証明書を常時携帯することが可能となる。
【手続補正４】
【補正対象書類名】明細書
【補正対象項目名】００１６
【補正方法】変更
【補正の内容】
【００１６】
図１は、本考案の手帳の一実施例を示す斜視図であって、手帳１０は、表表紙部１ａと裏表紙部１ｂとの間に多数の記録紙片が継綴された手帳本体１と、該手帳本体１の表裏の表紙部１ａ，１ｂの外側面を覆うと共にその両端縁部から折り返して内カバー部を形成することにより前記表裏の表紙部１ａ，１ｂを挿入するための袋状の表紙挿入部３，４を有する透明又は半透明のカバー２と、該表紙挿入部３，４の何れか一方の、実施例では表表紙の表紙挿入部３の内カバー部３ａ内に挿入保持せしめた身分証明書の見本又は用紙５と、を組み合わせたものであり、該見本又は用紙５に所定の証明事項を記入することにより手帳と共に身分証明書を常時携帯できるようにしたものである。